(57)【要約】【課題】放熱性能ならびに冷却性能に優れる光変調装置の提供。【解決手段】入射する光束を画像情報に応じて変調して光学像を形成する光変調素子４４１Ｒを備えた光変調装置４４０Ｒは、光変調素子４４１Ｒの画像形成領域に応じた位置に形成される開口部が形成され、該光変調素子４４１Ｒを光束入射側から保持する入射側保持枠８２Ｒと、入射側保持枠８２Ｒの開口部８２Ｒ１に応じた位置に形成される開口部８１Ｒ１を有し、入射側保持枠８２Ｒと組み合わされ、光変調素子４４１Ｒを光束射出側から保持する射出側保持枠８１Ｒと、入射側保持枠８２Ｒおよび射出側保持枠８１Ｒの一方の端部、およびこの端部と対向する入射側保持枠８２Ｒおよび射出側保持枠８１Ｒの他方の端部を互いに熱伝導可能に連結し、これら端部間に光変調素子４４１Ｒを冷却する冷却風を案内する連結枠８３Ｒとを備える。【選択図】図１３
2005156675.tif 000002
【特許請求の範囲】
【請求項１】
入射する光束を画像情報に応じて変調して光学像を形成する光変調素子を備えた光変調装置であって、
前記光変調素子の画像形成領域に応じた位置に形成される開口部が形成され、該光変調素子を光束入射側から保持する入射側保持枠と、
この入射側保持枠の開口部に応じた位置に形成される開口部を有し、前記入射側保持枠と組み合わされ、前記光変調素子を光束射出側から保持する射出側保持枠と、
前記入射側保持枠および前記射出側保持枠の一方の端部、およびこの端部と対向する前記入射側保持枠および前記射出側保持枠の他方の端部を互いに熱伝導可能に連結し、これら端部間に前記光変調素子を冷却する冷却風を案内する連結枠とを備えることを特徴とする光変調装置。
【請求項２】
請求項１に記載の光変調装置において、
前記連結枠は、熱伝導性材料から形成されていることを特徴とする光変調装置。
【請求項３】
請求項1または請求項２に記載の光変調装置において、
前記連結枠には、前記連結するそれぞれの端部に応じた位置に、前記冷却風の流れに沿って延びる整流部材が設けられていることを特徴とする光変調装置。
【請求項４】
請求項３に記載の光変調装置において、
前記整流部材は、前記冷却風の上流側に向かうに従って互いに接近するようにそれぞれ曲折されていることを特徴とする光変調装置。
【請求項５】
請求項１から請求項４のいずれかに記載の光変調装置において、
前記連結枠は、前記冷却風の下流側となる位置で、前記一方の端部を連結する部分、および前記他方の端部を連結する部分を熱伝導可能に接続する接続部を備えていることを特徴とする光変調装置。
【請求項６】
請求項１から請求項５のいずれかに記載の光変調装置において、
前記入射側保持枠、前記射出側保持枠、および前記連結枠の間には、熱伝導性弾性材料が介在していることを特徴とする光変調装置。
【請求項７】
入射する光束を画像情報に応じて変調して光学像を形成する光変調素子を備えた光変調装置と、該光変調装置と対向する光束入射端面を有し、該光変調装置で形成された光学像を合成する色合成光学装置とを備える光学装置であって、
前記光変調装置は、請求項１から請求項６のいずれかに記載の光変調装置であることを特徴とする光学装置。
【請求項８】
光源から射出された光束を画像情報に応じて変調して光学像を形成し、拡大投写するプロジェクタであって、
請求項７に記載の光学装置を備えることを特徴とするプロジェクタ。
【発明の詳細な説明】
【技術分野】
【０００１】
本発明は、入射する光束を画像情報に応じて変調して光学像を形成する光変調素子を備えた光変調装置、この光変調装置を備える光学装置、および、この光学装置を備えるプロジェクタに関する。
【背景技術】
【０００２】
従来より、会議等でのプレゼンテーション用途にプロジェクタが利用されており、近年では、ホームシアター用途にも利用されている。
このようなプロジェクタでは、光源から射出された光束が液晶パネル等を用いた光変調装置によって画像情報に応じて変調され、スクリーン等に拡大投写されている。
【０００３】
また、プロジェクタは、光変調装置に組み込まれる光変調素子や、光変調装置の前段、後段に設けられる偏光板等の光学素子を備えており、これらの取り付け構造を簡素化して組立性を向上させるとともに、プロジェクタの小型化をも図っている。
例えば、光変調素子を、凹部を有する容器状の入射側保持枠に収納し、板状の射出側保持枠で押圧固定した光変調装置が知られている。この光変調装置は、入射側保持枠の四隅に形成された孔にピン状の部材が挿入されることによって光変調装置および色合成光学装置が一体化されるため、構造の簡素化、および組立性の向上が図られる（特許文献１参照）。
【０００４】
ところで、このようなプロジェクタでは、前述のように小型化が促進されるとともに、光源の高輝度化によって明るい投写画像を表示することも促進されている。
そして、小型化および高輝度化が促進されるに従って、液晶パネル等の光変調素子を如何に効果的に冷却するかが重要な課題となっており、従来より、光変調素子に外部から取り入れた冷却風を吹き付ける冷却方法が採用されている。
しかし、冷却風を吹き付ける方法では、特にホームシアター用途では、冷却ファンのモータ音が問題化するおそれがあるとともに、小型化および高輝度化に伴って内部の熱密度が上昇する中、冷却効率にも限界がある。
そこで、板状の入射側保持枠に液晶パネルを貼付し、この入射側保持枠と対向離間配置された板状の射出側保持枠とを熱伝導性のピン状部材で接続するとともに、色合成光学装置の複数の光束入射端面と直交する端面に金属製の台座を配置し、ピン状部材および台座を経由した伝導放熱機構により、過熱した光変調装置を効果的に冷却することが提案されている（特許文献２参照）。
【０００５】
【特許文献１】特開平１０−１０９９４号公報（図５、図６）
【特許文献２】特開２００２−２４４２１４号公報（段落［００２６］［００２７］、図５）
【発明の開示】
【発明が解決しようとする課題】
【０００６】
しかしながら、特許文献２に記載の方法では、液晶パネルが入射側保持枠にしか接触しておらず、入射側保持枠と射出側保持枠とはピン状部材を通じて部分的に熱伝導可能であるに過ぎないから、伝導放熱は主として入射側保持枠と接触する側からしか行われず、射出側保持枠からの伝導放熱量は小さい。したがって、液晶パネルの入射側と射出側とで温度差が生じやすく、光変調装置を効果的に冷却できるとは言い難い。
【０００７】
本発明の目的は、上記問題に鑑みて、放熱性能ならびに冷却性能に優れる光変調装置、この光変調装置を備える光学装置、およびこの光学装置を備えるプロジェクタを提供することにある。
【課題を解決するための手段】
【０００８】
本発明の光変調装置は、入射する光束を画像情報に応じて変調して光学像を形成する光変調素子を備えた光変調装置であって、前記光変調素子の画像形成領域に応じた位置に形成される開口部が形成され、該光変調素子を光束入射側から保持する入射側保持枠と、
この入射側保持枠の開口部に応じた位置に形成される開口部を有し、前記入射側保持枠と組み合わされ、前記光変調素子を光束射出側から保持する射出側保持枠と、前記入射側保持枠および前記射出側保持枠の一方の端部、およびこの端部と対向する前記入射側保持枠および前記射出側保持枠の他方の端部を互いに熱伝導可能に連結し、これら端部間に前記光変調素子を冷却する冷却風を案内する連結枠とを備えることを特徴とする。
【０００９】
ここで、射出側保持枠は、光変調装置と色合成光学装置との間に介在する枠状部材であり、この射出側保持枠を色合成光学装置に直接固定してもよいし、他の枠状部材や板状部材等を介して間接的に固定することもできる。
この射出側保持枠、入射側保持枠、連結枠等の形状や材質、固定態様については、強度やコスト、放熱性等を考慮のうえ、適宜選択することができる。
【００１０】
この発明によれば、光変調素子から発生する熱が連結枠の枠体を介して入射側保持枠および射出側保持枠の一方の端部から他方の端部まで、入射側保持枠および射出側保持枠の全体に伝導するので、従来、入射側保持枠と射出側保持枠との間の熱伝導がピン状部材によって部分的にしか図られておらず、光変調素子の射出側保持枠側には効果的な放熱径路を有していなかったことと比べて、伝導放熱性能を確実に向上させることができる。
さらに、連結枠が、入射側保持枠および射出側保持枠の端部間の側壁となり、入射側保持枠と射出側保持枠との間に位置する光変調素子が入射側、射出側とも冷却風に十分さらされるので、光変調素子の温度にむらが生じず、上記の放熱性能の向上との相乗効果によって、ファン送風を強化することなく、冷却性能を格段に向上させることができる。
ここで、本発明では、例えば、連結枠をトンネル状として、内周面を介して入射側保持枠と射出側保持枠とを連結することが好ましい。この構成では、入射側保持枠および射出側保持枠よりも連結枠の方が熱容量が大きく、伝導放熱性能に一層優れる。
【００１１】
本発明の光変調装置では、前記連結枠は、熱伝導性材料から形成されていることが好ましい。
ここで、熱伝導性材料として、Ｍｇ合金、Ａｌ合金、Ｍｏ−Ｃｕ合金、Ｔｉ合金、およびＦｅ−Ｎｉ合金等を採用できる。これらの材料の熱伝導率はすべて、１０Ｗ／（ｍ・Ｋ）以上である。
この発明によれば、連結枠の熱伝導性によって、入射側保持枠および射出側保持枠間の熱伝導が一層効率よく行われるので、伝導放熱性能をより一層向上させることができる。
【００１２】
本発明の光変調装置では、前記連結枠には、前記連結するそれぞれの端部に応じた位置に、前記冷却風の流れに沿って延びる整流部材が設けられていることが好ましい。
この発明によれば、冷却風の流れが整流部材によって整流されるので、入射側保持枠および射出側保持枠の端部間に冷却風が勢いよく吹き出され、冷却性能をより一層向上させることができる。冷却風がファンの回転の影響等で渦を巻いて広がろうとする場合にも、光変調装置に十分な風量の冷却風が供給されて、光変調素子の温度むらを防止できる。
また、光変調装置と色合成光学装置との間に偏光板等を介在させた場合等、連結枠と色合成光学装置との間に生じた隙間をこの整流部材によって塞ぐことができる。これにより、この隙間から冷却風や光束が漏れるのを防止できる。
ここで、この整流部材が設けられる位置は、連結枠の光束入射側および光束射出側のいずれでもよい。さらに、光束入射側および光束射出側両方に整流部材を設けることにより、光束入射側および光束射出側両方で冷却空気を整流し、光変調素子を両面から効率よく冷却できる。
【００１３】
本発明の光変調装置では、前記整流部材は、前記冷却風の上流側に向かうに従って互いに接近するようにそれぞれ曲折されていることが好ましい。
ここで、整流部材の端部は、冷却風の吹き出し口に向かって延びていることが好ましい。この吹き出し口に整流部材の端部が達していれば、なお好ましい。
この発明によれば、吹き出し口から強い風圧で吹き出す冷却風が漏れなく直ちに整流部材の端部から連結枠の内部に吹き込むので、吹き出し口付近での圧力損失および風量損失を回避でき、光変調装置の冷却性能を確実に向上させることができる。
【００１４】
本発明の光変調装置では、前記連結枠は、前記冷却風の下流側となる位置で、前記一方の端部を連結する部分、および前記他方の端部を連結する部分を熱伝導可能に接続する接続部を備えることが好ましい。
この発明によれば、連結枠の内側に吹き込んだ冷却風がこの接続部に当たって入射側保持枠および射出側保持枠の間に回り込むので、光変調装置をより一層効果的に冷却できる。
【００１５】
本発明の光変調装置では、前記入射側保持枠、前記射出側保持枠、および前記連結枠の間には、熱伝導性弾性材料が介在していることが好ましい。
ここで、熱伝導性弾性材料としては、熱伝導性のシリコン接着剤や、熱伝導性のグリス等を採用できる。
この発明によれば、熱伝導性弾性材料が介在することによって、入射側保持枠、射出側保持枠、および前記連結枠とが互いに密接されるので、光変調装置をより一層効果的に伝導放熱させることができる。
【００１６】
本発明の光学装置は、入射する光束を画像情報に応じて変調して光学像を形成する光変調素子を備えた光変調装置と、該光変調装置と対向する光束入射端面を有し、該光変調装置で形成された光学像を合成する色合成光学装置とを備える光学装置であって、前記光変調装置は、前述の光変調装置であることを特徴とする。
この発明によれば、光変調装置が前述のような作用及び効果を具備するため、同様の作用および効果を享受でき、放熱性能ならびに冷却性能に優れる光学装置を提供できる。
【００１７】
本発明のプロジェクタは、光源から射出された光束を画像情報に応じて変調して光学像を形成し、拡大投写するプロジェクタであって、前述の光学装置を備えることを特徴とする。
この発明によれば、光学装置が前述のような作用及び効果を具備するため、同様の作用および効果を享受できる。したがって、小型化や高輝度化に伴う内部の温度上昇を防止でき、目論見どおりの性能を実現して信頼性を向上させることができる。
【発明を実施するための最良の形態】
【００１８】
以下、本発明の実施の一形態を図面に基づいて説明する。
（１）外観構成
図１は、本実施形態に係るプロジェクタ１を上方前面側から見た斜視図である。図２は、プロジェクタ１を下方前面側から見た斜視図である。図３は、プロジェクタ１を後方背面側から見た斜視図である。
プロジェクタ１は、光源から射出された光束を画像情報に応じて変調し、スクリーン等の投写面上に拡大投写する。このプロジェクタ１は、図１から図３に示すように、略直方体状の筐体としての外装ケース２、およびこの外装ケース２から露出する投写レンズ３を備えている。
投写レンズ３は、プロジェクタ１の本体部分により画像情報に応じて変調された光学像を拡大投写する。この投写レンズ３は、筒状の鏡筒内に複数のレンズが収納された組レンズとして構成され、複数のレンズの相対位置を変更するレバー３Ａ（図１）を備え、投写像のフォーカス調整、および倍率調整可能に構成されている。
【００１９】
外装ケース２は、合成樹脂製の筐体であり、プロジェクタ１の本体部分を収納する。この外装ケース２は、図１から図３に示すように、プロジェクタ１の上部分を覆うアッパーケース１１と、プロジェクタ１の下部分を覆うロアーケース１２と、プロジェクタ１の背面部分を覆うリアケース１３（図３）とを備えている。これらアッパーケース１１、ロアーケース１２およびリアケース１３は、ねじ等により固定され、適宜着脱可能に構成されている。
アッパーケース１１は、図１から
し図３に示すように、プロジェクタ１の上面、前面、および側面をそれぞれ構成する上面部１１Ａ、前面部１１Ｂ、および側面部１１Ｃ（図１），１１Ｄ（図２、図３）を含んで構成される。
【００２０】
この前面部１１Ｂにおいて、前方から見て左側部分には、図１に示すように、排気口１７が形成され、内部に配置される冷却ファンから排気される空気が該排気口１７を介して排出される。
また、この前面部１１Ｂにおいて、前方から見て右側部分には、図１に示すように、前述した切り欠き１６と連続し、略円形状の切り欠き１８が形成されている。そして、この切り欠き１８は、投写レンズ３の先端部分を露出させている。
【００２１】
ロアーケース１２は、図１から図３に示すように、プロジェクタ１の底面、側面、および背面の一部をそれぞれ構成する底面部１２Ａ（図２）、側面部１２Ｂ（図１），１２Ｃ（図２、図３）、および背面部１２Ｄ（図３）を含んで構成される。
【００２２】
この底面部１２Ａにおいて、下方から見て左側略中央部分には、矩形状の開口２１が形成されている。この開口２１には、該開口２１を覆うランプカバー２２が着脱自在に設けられている。
また、この底面部１２Ａにおいて、下方から見て右側で後方側の隅部は、内側に凹む段付き形状を有している。そして、この隅部には、外部から冷却空気を吸入するための吸気口２３が形成されている。この吸気口２３には、該吸気口２３を覆う吸気口カバー２３Ａが着脱自在に設けられている。この吸気口カバー２３Ａには、複数の開口２３Ｂが形成されている。そして、これら開口２３Ｂ内側には、図示しないエアフィルタが設けられており、内部への塵埃の侵入を防止している。
【００２３】
（２）内部構成
図４は、プロジェクタ１のアッパーケース１１および内部の制御基板等を外した状態の、プロジェクタ１の内部構造を示す図である。
外装ケース２の内部には、プロジェクタ１の本体部分が収納されており、この本体部分は、投写方向略中央部分で左右方向に延び、一方の端部が前方に延びる平面視略Ｌ字状の光学ユニット４と、この光学ユニット４の上方で投写レンズ３側に配置される制御基板（図示省略）と、この制御基板や光源装置４１１に電力を供給するとともに、背面部分および一方の側面部分に沿って平面視略Ｌ字状に配置されて光源装置４１１および制御基板（図示省略）等に電力を供給する電源ユニット６と、吸気口２３および排気口１７に応じた位置、および電源ユニット６の角隅部分に配置される３つの冷却ファンを含む冷却ユニット７とを備えて構成される。
【００２４】
(2-1)光学ユニット４の構造
図５は、光学ユニット４の光学系を模式的に示す図である。
光学ユニット４は、光源装置から射出された光束を画像情報に応じて変調して光学像を形成し、投写レンズ３を介してスクリーン上に投写画像を形成するものである。この光学ユニット４は、図４または図５に示すように、インテグレータ照明光学系４１と、色分離光学系４２と、リレー光学系４３と、光変調装置および色合成光学装置を一体化した光学装置４４と、これら光学部品４１，４２，４３，４４を収納配置する光学部品用筐体４５（図４）とに機能的に大別される。
インテグレータ照明光学系４１は、光源から射出された光束を照明光軸直交面内における照度を均一にするための光学系である。このインテグレータ照明光学系４１は、図５に示すように、光源装置４１１、第１レンズアレイ４１２、第２レンズアレイ４１３、偏光変換素子４１４、および重畳レンズ４１５を備えて構成される。
【００２５】
光源装置４１１は、放射光源としての光源ランプ４１６、リフレクタ４１７、およびリフレクタ４１７の光束射出面を覆う防爆ガラス４１８を備える。そして、光源ランプ４１６から射出された放射状の光束は、リフレクタ４１７で反射されて略平行光束とされ、外部へと射出される。本実施形態では、光源ランプ４１６として、高圧水銀ランプを採用し、リフレクタ４１７として、放物面鏡を採用している。なお、光源ランプ４１６としては、高圧水銀ランプに限らず、例えばメタルハライドランプやハロゲンランプ等を採用してもよい。また、リフレクタ４１７として放物面鏡を採用しているが、これに限らず、楕円面鏡からなるリフレクタの射出面に平行化凹レンズを配置した構成を採用してもよい。
【００２６】
第１レンズアレイ４１２は、照明光軸方向から見てほぼ矩形状の輪郭を有する小レンズがマトリクス状に配列された構成を具備している。各小レンズは、光源ランプ４１６から射出された光束を部分光束に分割し、照明光軸方向に射出する。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光学装置４４の後述する液晶パネル４４１Ｒ，４４１Ｇ，４４１Ｂ上に結像させる機能を有する。
【００２７】
偏光変換素子４１４は、第２レンズアレイ４１３からの光を略１種類の偏光光に変換するものであり、これにより、光学装置４４での光の利用効率が高められている。
具体的に、偏光変換素子４１４によって略１種類の偏光光に変換された各部分光束は、重畳レンズ４１５によって最終的に光学装置４４の後述する液晶パネル４４１Ｒ，４４１Ｇ，４４１Ｂ上にほぼ重畳される。偏光光を変調するタイプの液晶パネル４４１Ｒ，４４１Ｇ，４４１Ｂを用いたプロジェクタでは、１種類の偏光光しか利用できないため、ランダムな偏光光を発する光源ランプ４１６からの光束の略半分が利用されない。このため、偏光変換素子４１４を用いることにより、光源ランプ４１６から射出された光束を略１種類の偏光光に変換し、光学装置４４における光の利用効率を高めている。なお、このような偏光変換素子４１４は、例えば、特開平８−３０４７３９号公報に紹介されている。
【００２８】
色分離光学系４２は、２枚のダイクロイックミラー４２１，４２２と、反射ミラー４２３とを備える。インテグレータ照明光学系４１から射出された複数の部分光束は、２枚のダイクロイックミラー４２１により赤（Ｒ）、緑（Ｇ）、青（Ｂ）の３色の色光に分離される。
リレー光学系４３は、入射側レンズ４３１と、リレーレンズ４３３と、ＵＶカットフィルタ４３４と、反射ミラー４３２，４３５とを備えている。このリレー光学系４３は、色分離光学系４２で分離された色光である青色光を光学装置４４の後述する液晶パネル４４１Ｂまで導く機能を有している。
【００２９】
この際、色分離光学系４２のダイクロイックミラー４２１では、インテグレータ照明光学系４１から射出された光束のうち、緑色光成分と青色光成分とは透過し、赤色光成分は反射する。ダイクロイックミラー４２１によって反射した赤色光は、反射ミラー４２３で反射し、フィールドレンズ４２４を通って、赤色用の液晶パネル４４１Ｒに到達する。このフィールドレンズ４２４は、第２レンズアレイ４１３から射出された各部分光束をその中心軸（主光線）に対して平行な光束に変換する。他の液晶パネル４４１Ｇ，４４１Ｂの光入射側に設けられたフィールドレンズ４２４も同様である。
【００３０】
また、ダイクロイックミラー４２１を透過した青色光と緑色光のうちで、緑色光は、ダイクロイックミラー４２２によって反射し、フィールドレンズ４２４を通って、緑色光用の液晶パネル４４１Ｇに到達する。一方、青色光は、ダイクロイックミラー４２２を透過してリレー光学系４３を通り、さらにフィールドレンズ４２４を通って、青色光用の液晶パネル４４１Ｂに到達する。
なお、青色光にリレー光学系４３が用いられているのは、青色光の光路の長さが他の色光の光路長さよりも長いため、光の発散等による光の利用効率の低下を防止するためである。すなわち、入射側レンズ４３１に入射した部分光束をそのまま、フィールドレンズ４２４に伝えるためである。なお、リレー光学系４３には、３つの色光のうちの青色光を通す構成としたが、これに限らず、例えば、赤色光を通す構成としてもよい。
【００３１】
光学装置４４は、入射された光束を画像情報に応じて変調してカラー画像を形成する。この光学装置４４は，色分離光学系４２で分離された各色光が入射される３つの入射側偏光板４４２と、各入射側偏光板４４２の後段に配置される３つの視野角補正板４４３と、各視野角補正板４４３の後段に配置される三つの光変調装置４４０Ｒ，４４０Ｇ，４４０Ｂと、色合成光学装置としてのクロスダイクロイックプリズム４４５とを備える。
【００３２】
光変調装置４４０Ｒ，４４０Ｇ，４４０Ｂは、光変調素子としての液晶パネル４４１Ｒ，４４１Ｇ，４４１Ｂと、射出側偏光板４４４とを備える。この液晶パネル４４１Ｒ，４４１Ｇ，４４１Ｂは、入射側偏光板４４２および視野角補正板４４３を介して入射する光束を画像情報に応じて変調して射出する。
液晶パネル４４１Ｒ，４４１Ｇ，４４１Ｂは、サファイアガラス製等の駆動基板（例えば複数のライン状の電極と、画素を構成する電極と、これらの間に電気的に接続されたＴＦＴ素子とが形成された基板）４４１Ｒ１、４４１Ｇ１，４４１Ｂ１（光束射出側）と、同じくサファイアガラス製の対向基板（例えば、共通電極が形成された基板）４４１Ｒ２、４４１Ｇ２，４４１Ｂ２（光束入射側）との間に液晶が封入されたものであり、これらのガラス基板の間から制御用ケーブル４４１Ｒ４，４４１Ｇ４，４４１Ｂ４が延びて構成されている（図８および図９）。さらに、駆動基板４４１Ｒ１の外側には、防塵ガラス４４１Ｒ３が対向配置され、対向基板４４１Ｒ２の外側には、射出側偏光板４４４が対向配置されている。
【００３３】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。
また、射出側偏光板４４４も、入射側偏光板４４２と略同様に構成され、液晶パネル４４１Ｒ，４４１Ｇ，４４１Ｂから射出された光束のうち、所定方向の偏光光のみ透過させ、その他の光束を吸収するものであり、透過させる偏光光の偏光軸は、入射側偏光板４４２における透過させる偏光光の偏光軸に対して直交するように設定されている。
【００３４】
視野角補正板４４３は、基板上に液晶パネル４４１Ｒ，４４１Ｇ，４４１Ｂで形成された光学像の視野角を補正する機能を有する光学変換膜が形成されたものである。この視野角補正板４４３は、液晶パネル４４１Ｒ，４４１Ｇ，４４１Ｂで生じる複屈折を補償する。そして、この視野角補正板４４３により、投写画像の視野角が拡大され、かつ投写画像のコントラストが向上する。
クロスダイクロイックプリズム４４５は、射出側偏光板４４４から射出され、各色光毎に変調された光学像を合成してカラー画像を形成するものである。このクロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
以上説明した光変調装置４４０Ｒ，４４０Ｇ，４４０Ｂ、射出側偏光板４４４、およびクロスダイクロイックプリズム４４５は、一体的にユニット化されている。
【００３５】
光学部品用筐体４５は、図４に示すように、射出成形等による合成樹脂製品であり、上述した光学部品４１，４２，４３，４４が収納される部品収納部材４５１と、この部品収納部材４５１の上面の開口部分を塞ぐ蓋状部材４５２とを備える。
部品収納部材４５１は、光源装置４１１が収納される光源収納部４５１Ａと、光源装置４１１を除く他の光学部品が収納される容器状に形成された部品収納部４５１Ｂと、この部品収納部４５１Ｂの外側面に形成され、投写レンズ３が設置される投写レンズ設置部４５１Ｃとを備える。
【００３６】
光源収納部４５１Ａは、下方端面の開口部４５１Ａ１（図１４）および部品収納部４５１Ｂ側の図示しない開口部を有する略箱状に形成されている。そして、この光源収納部４５１Ａには、ロアーケース１２の底面部１２Ａに設けられたランプカバー２２（図２）を介して光源装置４１１が収納される。また、この光源収納部４５１Ａの前方側端面には、スリット状の図示しない開口部が形成されている。同様に、光源収納部４５１Ａの後方側端面には、スリット状の開口部４５１Ａ２（図４）が形成されている。そして、これら開口部を介して空気が光源収納部４５１Ａ内外に流通可能となっている。
部品収納部４５１Ｂ内には、図示は省略するが、光学部品４１２〜４１５，４２１〜４２４，４３１〜４３５を上方からスライド式に嵌め込むための複数の溝部が形成されている。また、部品収納部４５１Ｂ内において、図４に示すように、投写レンズ設置部４５１Ｃの内側部分に光学装置４４が設置される。さらに、部品収納部４５１Ｂにおいて、光学装置４４の後段側の側面には、図１５に示すように、光源装置４１１から射出される光束を透過させる開口部４５１Ｂ１が形成されている。さらにまた、この部品収納部４５１Ｂにおいて、底面部分には、図１５に示すように、光学装置４４の３つの液晶パネル４４１Ｒ，４４１Ｇ，４４１Ｂに応じた位置に開口部４５１Ｂ２が形成され、光学装置４４の偏光変換素子４１４に応じた位置に開口部４５１Ｂ３が形成されている。
【００３７】
投写レンズ設置部４５１Ｃは、部品収納部４５１Ｂの開口部４５１Ｂ１の周縁に位置し、光学部品用筐体４５内に設定される照明光軸に対する所定位置に投写レンズ３を設置する。そして、光源装置４１１から射出され、光学装置４４にて形成された光学像が、部品収納部４５１Ｂの開口部４５１Ｂ１を介して投写レンズ３により拡大投写される。
蓋状部材４５２は、図４に示すように、部品収納部材４５１の部品収納部４５１Ｂにおける光学装置４４の上方を除く上端開口部分を閉塞する。この蓋状部材４５２には、表裏を貫通して複数の開口部（例えば、開口部４５２Ａ）が形成され、この開口部を介して部品収納部材４５１内に収納された光学部品の姿勢調整が実施される。
【００３８】
(2-2)電源ユニット６の構造
電源ユニット６は、光源装置４１１および制御基板（図示省略）等に電力を供給する。この電源ユニット６は、図４に示すように、外装ケース２の背面に沿って配置される電源ブロック６１と、外装ケース２の一方の側面に沿って配置される光源駆動ブロック６２とを備え、光学部品用筐体４５の光源収納部４５１Ａを囲うように平面視Ｌ字状に形成されている。
電源ブロック６１は、コネクタに接続された電源ケーブルを通して外部から供給された電力を光源駆動ブロック６２および制御基板（図示省略）等に供給する。
【００３９】
（３）光学装置４４の構成
図６から図１３を参照して光学装置４４の詳細構成について説明する。
図６には、上方から見た光学装置４４が示され、図７は、下方から見た光学装置４４が示されている。
光学装置４４を構成する光学部品のうち、光変調装置４４０Ｒ，４４０Ｇ，４４０Ｂ、射出側偏光板４４４、およびクロスダイクロイックプリズム４４５は一体化されている。すなわち、図６および図７にも示されるように、クロスダイクロイックプリズム４４５の異なる端面に３つの光変調装置４４０Ｒ、４４０Ｇ、４４０Ｂが液晶パネル４４１Ｒ，４４１Ｇ，４４１Ｂの画像形成領域に応じた開口を有する矩形状の固定板４４６Ｒ，４４６Ｇ，４４６Ｂを介し、ピン状部材４４７Ｒ，４４７Ｇ，４４７Ｂにて四隅でそれぞれ固定されている。
ここで、光変調装置４４０Ｒ、４４０Ｇ，４４０Ｂにおいて、液晶パネル４４１Ｒ，４４１Ｇ，４４１Ｂは、光束の入射側および射出側両方から枠状部材で保持されている。これにより、光変調装置４４０Ｒ、４４０Ｇ，４４０Ｂは、クロスダイクロイックプリズム４４５への固定時や、光学装置４４をプロジェクタ１に組み込む際等、組立性に優れたものとなっている。
【００４０】
一方、クロスダイクロイックプリズム４４５には、各光変調装置４４０Ｒ，４４０Ｇ，４４０Ｂがそれぞれ固定されている光速入射端面と直交する端面に、金属製の台座４４８が設置されている。この台座４４８は、部品収納部材４５１に固定され、光変調装置４４０Ｒ，４４０Ｇ，４４０Ｂおよびクロスダイクロイックプリズム４４５の熱がこの台座４４８を通じて部品収納部材４５１、およびロアーケース１２を通じて放熱されるようになっている。
【００４１】
光変調装置４４０Ｒは、入射側保持枠８２Ｒと、射出側保持枠８１Ｒと，これら入射側保持枠８２Ｒおよび射出側保持枠８１Ｒを熱伝導的に連結する連結枠８３Ｒとを備えている。これら射出側保持枠８１Ｒ，入射側保持枠８２Ｒ、連結枠８３Ｒの順序で互いに入れ子状に組み合わされることによって、液晶パネル４４１Ｒが保持されている。
ここで、入射側保持枠８２Ｒ、射出側保持枠８１Ｒ，および連結枠８３Ｒは、Ｍｇ合金、Ａｌ合金、Ｍｏ−Ｃｕ合金、Ｔｉ合金、およびＦｅ−Ｎｉ合金等の熱伝導性材料により形成されている。なお、これらの材料の熱伝導率はすべて、１０Ｗ／（ｍ・Ｋ）以上であり、その熱伝導率の高さから、液晶パネル４４１Ｒ，４４１Ｇ，４４１Ｒから生じた熱を効果的に放熱させることができる。
また、光変調装置４４０Ｒは、部品収納部４５１Ｂの開口部４５１Ｂ２（図１５）から吹き出す冷却風によって冷却されている。
【００４２】
図８および図９には、液晶パネル４４１Ｒが射出側保持枠８１Ｒによって保持された状態が示されており、図８は光束入射側から見た図、図９は光束射出側から見た図である。
また、図１０および図１１には、液晶パネル４４１Ｒが射出側保持枠８１Ｒおよび入射側保持枠８２Ｒによって保持された状態が示されており、図１０は光束入射側から見た図、図１１は光束射出側から見た図である。
さらに、図１２および図１３には、入射側保持枠８２Ｒと射出側保持枠８１Ｒとが連結枠８３Ｒによって連結されている状態が示されており、図１２は光束入射側から見た図、図１３は光束射出側から見た図である。
一方、光変調装置４４０Ｇ、４４０Ｂについても、それぞれ、入射側保持枠８２Ｇ，８２Ｂと、射出側保持枠８１Ｇ，８１Ｂと，連結枠８３Ｇ，８３Ｂとをそれぞれ備えているが、以下の説明では、液晶パネル４４１Ｒを中心に説明し、この液晶パネル４４１Ｒと略同様の構成である液晶パネル４４１Ｇ，４４１Ｂについては、適宜、説明および図示を省略する。
【００４３】
射出側保持枠８１Ｒは、図８および図９にも示されるように、液晶パネル４４１Ｒを光束射出側から保持する略矩形板状の枠状部材であり、上記の熱伝導性材料により、各部位が一体的にプレス成形されている。この射出側保持枠８１Ｒの略中央には、液晶パネル４４１Ｒの矩形状の画像形成領域に対応する開口部８１Ｒ１が形成されており、周縁には、リング状の５つの孔部８１Ｒ４が設けられている。この孔部８１Ｒ４は、この孔８１Ｒ４に挿入されるピン状部材４４７Ｒ，４４７Ｇ，４４７Ｂを確実に保持できるように、リング周縁部分が厚肉とされている。
この射出側保持枠８１Ｒにおいて、開口部８１Ｒ１の両短辺側の端縁からは、一対の側部８１Ｒ２が起立しているとともに、これら側部８１Ｒ２の間には、液晶パネル４４１Ｒの制御用ケーブル４４１Ｒ４が延出する側とは反対側に、支持部８１Ｒ３が延びており、液晶パネル４４１Ｒは、一対の側部８１Ｒ２の間に挟持されるとともに、支持部８１Ｒ３で支持される。
また、側部８１Ｒ２の外面には、保持される液晶パネル４４１Ｒの厚さ方向に沿って、２本のリブ８１Ｒ５が延びている。
【００４４】
入射側保持枠８２Ｒは、射出側保持枠８１Ｒに保持された液晶パネル４４１Ｒを光束入射側から保持する平面視略矩形の容器状の枠状部材であり、図１０および図１１にも示されるように、射出側保持枠８１Ｒの孔部８１Ｒ４の位置と重ならない形状とされ、射出側保持枠８１Ｒと同様の熱伝導性材料により、型押し成形されている。
この入射側保持枠８２Ｒの略中央には、液晶パネル４４１Ｒの矩形状の画像形成領域に対応する開口部８２Ｒ１が形成されており、液晶パネル４４１Ｒの制御用ケーブル４４１Ｒ４が延出する側には、放熱効果を有する複数の溝が刻設されたフィン８２Ｒ４が設けられている。
この入射側保持枠８２Ｒにおいて、開口部８２Ｒ１の両短辺側の端縁からは、一対の側部８２Ｒ２が起立しているとともに、これら側部８１Ｒ２の間には、支持部８２Ｒ３が延びており、液晶パネル４４１Ｒは、射出側保持枠８１Ｒごと一対の側部８２Ｒ２の間に挟持されるとともに、支持部８２Ｒ３で支持される。
また、側部８２Ｒ２の外面には、凹部８２Ｒ５が形成されており、この凹部８２Ｒ５には、突起８２Ｒ６が形成されている。
【００４５】
連結枠８３Ｒは、図１２および図１３にも示されるように、互いに対向する一対の側部８３Ｒ２と、この側部８３Ｒ２の互いの端部間に延び、入射側保持枠８２Ｒのフィン８２Ｒ４の周囲に沿って膨出する接続部８３Ｒ３とを含んで略Ｃ字形のチャンネル状に形成されており、接続部８３Ｒ３と反対側は開口部８３Ｒ１とされている。ここで、開口部４５１Ｂ２から連結枠８３Ｒの内側に吹き込んだ冷却風がこの接続部８３Ｒ３に当たって入射側保持枠８２Ｒおよび射出側保持枠８１Ｒの間に回り込むので、冷却効率が向上する。
この連結枠８３Ｒは、射出側保持枠８１Ｒおよび入射側保持枠８２Ｒを内部に収容して、内周面を介してこれら射出側保持枠８１Ｒおよび入射側保持枠８２Ｒを互いに熱伝導的に連結させるものであるであり、連結枠８３Ｒに射出側保持枠８１Ｒおよび入射側保持枠８２Ｒを介して連結枠８３Ｒに保持された液晶パネル４４１Ｒの制御用ケーブル４４１Ｒ４は、接続部８３Ｒ３に形成されたスリット８３Ｒ４を介して延出する。側部８３Ｒ２の内側には、図示は省略したが、凹部が形成されており、この凹部は入射側保持枠８２Ｒの突起８２Ｒ６に係合される。
【００４６】
各側部８３Ｒ２には、液晶パネル４４１Ｒの周縁部分に重なる保持板８３Ｒ５がそれぞれ形成されている。また、各側部８３Ｒ２の端縁は、側部８３Ｒ２および接続部８３Ｒ３を含む面の面外方向に突出しており、ここに整流部材としての整流部８３Ｒ６が形成されている。このような整流部８３Ｒ６により、開口部４５１Ｂ２から吹き上げる冷却風が整流されて、入射側保持枠８２Ｒおよび射出側保持枠８１Ｒの端部間に勢いよく吹き出され、冷却性能がより一層向上する。また、この整流部８３Ｒ６は、連結枠８３Ｒとクロスダイクロイックプリズム４４５との間に沿って延びているので、液晶パネル４４１Ｒ，４４１Ｇ，４４１Ｂの対向基板４４１Ｒ２に対向配置された射出側偏光板４４４の部分から冷却風や光束が漏れるのを防止できる。
ここで、整流部８３Ｒ６は、開口部８３Ｒ１側の端部が互いに接近するように曲折されて曲折部８３Ｒ７とされている。この曲折部８３Ｒ７は、冷却風が噴き出す開口部４５１Ｂ２に接続している。したがって、開口部４５１Ｂ２から強い風圧で吹き出す冷却風が漏れなく直ちに曲折部８３Ｒ７の端部から連結枠８３Ｒの内部に吹き込むので、開口部４５１Ｂ２付近での圧力損失および風量損失を回避でき、光変調装置４４０Ｒの冷却性能を確実に向上させることができる。
【００４７】
以上、説明した射出側保持枠８１Ｒ，入射側保持枠８２Ｒ，連結枠８３Ｒに関し、光変調装置４４０Ｒ，４４０Ｇ，４４０Ｂは、次のように組み立てられる。ここで、射出側保持枠８１Ｒ，入射側保持枠８２Ｒ，連結枠８３Ｒの互いの間に、熱伝導性のシリコン接着剤や、熱伝導性のグリスを充填しながら組立を行うことにより、入射側保持枠８２Ｒ、射出側保持枠８１Ｒ、および連結枠８３Ｒとが互いに密接し、伝導放熱性が向上する。
まず、液晶パネル４４１Ｒを射出側保持枠８１Ｒの側部８１Ｒ２および支持部８１Ｒ３内側に嵌め込む。次に、側部８１Ｒ２と側部８２Ｒ２とを対向させるようにして、射出側保持枠８１Ｒを入射側保持枠８２Ｒ内側に納める。この際、射出側保持枠８１Ｒのリブ８１Ｒ５部分で側部８２Ｒ２と側部８１Ｒ２とが係合することにより、射出側保持枠８１Ｒと入射側保持枠８２Ｒとが固定される。
そして、射出側保持枠８１Ｒおよび入射側保持枠８２Ｒを、開口部８３Ｒ１から収容する。側部８３Ｒ２に形成された凹部（図示略）と入射側保持枠８２Ｒの突起８２Ｒ６とが係合され、保持板８３Ｒ５が射出側保持枠８１Ｒを保持される。これにより、液晶パネル４４１Ｒを保持した入射側保持枠８２Ｒおよび射出側保持枠８１Ｒは連結枠８３Ｒに保持され、光変調装置４４０Ｒ，４４０Ｇ，４４０Ｂの組立が完了する。
【００４８】
このように組み立てられた光変調装置４４０Ｒ，４４０Ｂ，４４０Ｇにおいて、液晶パネル４０１Ｒ，４０１Ｇ，４０１Ｂから発生する熱が連結枠８３Ｒ，８３Ｇ，８３Ｂの枠体を介して入射側保持枠８２Ｒ，８２Ｇ、８２Ｂおよび射出側保持枠８１Ｒ，８１Ｇ，８１Ｂの端部間、すなわち、入射側保持枠８２Ｒ，８２Ｇ、８２Ｂおよび射出側保持枠８１Ｒ，８１Ｇ，８１Ｂの全体に伝導するので、伝導放熱性能を確実に向上させることができる。
さらに、連結枠８３Ｒ，８３Ｇ，８３Ｂのが、入射側保持枠８２Ｒ，８２Ｇ、８２Ｂおよび射出側保持枠８１Ｒ，８１Ｇ，８１Ｂの端部間の側壁となり、液晶パネル４０１Ｒ，４０１Ｇ，４０１Ｂが入射側、射出側とも冷却風に十分さらされるので、液晶パネル４０１Ｒ，４０１Ｇ，４０１Ｂの温度にむらが生じず、冷却性能を格段に向上させることができる。
【００４９】
（４）冷却構造
図４、図１４、および図１５は、冷却ユニット７の構造を説明する図である。プロジェクタ１のアッパーケース１１および制御基板等を取り外し、上方から見たものが図４であり、下方から見たものが図１４および図１５である。
冷却ユニット７は、プロジェクタ１外部から内部に空気を取り込む吸気機構７０と、プロジェクタ１の内部で温められた空気を外部に排出する排気機構９０とからなり、プロジェクタ１内部を冷却する。
【００５０】
吸気機構７０は、プロジェクタ１内部に外部の冷却空気を導入するシロッコファン７１と、このシロッコファン７１から吐出される冷却空気を所定位置に導く吸気側ダクト７２と、電源ユニット６に冷却空気を流通させる遠心力ファンとしてのシロッコファン７３によって構成されている。
シロッコファン７１は、外装ケース２の底面部１２Ａに形成された吸気口２３（図２）に応じた位置に配置され、冷却空気を吸入する吸入口７１１が吸気口２３に対向し、吸入した冷却空気を吐出する吐出口７１２が光学ユニット４の下方側に向いている。
吸気側ダクト７２は、図１４に示すように、光学ユニット４の下方に配置され、シロッコファン７１の吐出口７１２と接続する。そして、この吸気側ダクト７２は、冷却空気を導出する４つの図示しない導出口を有し、これら導出口は、部品収納部材４５１の底面に形成された開口部４５１Ｂ２，４５１Ｂ３（図１５）と接続する。
シロッコファン７３は、図４、図１４に示すように、電源ユニット６の電源ブロック６１および光源駆動ブロック６２の間、すなわち、電源ユニット６のＬ字形状の角隅部分に配置され、冷却空気を吸入する図示しない吸入口が電源ブロック６１に対向し、吸入した冷却空気を吐出する図示しない吐出口が光源駆動ブロック６２に対向する。
【００５１】
排気機構９０は、図４に示すように、光学部品用筐体４５の光源収納部４５１Ａの前方側端面から外装ケース２の前面にかけて延びるように配置され、内部ダクト９１、軸流ファン９２、および、排気側ダクト９３を備えている。
内部ダクト９１は、基端側が光源収納部４５１Ａの前方側端面に形成されたスリット状の開口部（図示略）と対向し、先端側が軸流ファン９２に接続され、光源収納部４５１Ａが収納する光源装置４１１（図５）近傍の高温となった空気を受け入れるダクトである。
この内部ダクト９１と接続される軸流ファン９２は、内部ダクト９１を通じて空気を吸入し、ファンの回転軸方向に揃えて流すファンとされている。そして、この軸流ファン９２と接続される排気側ダクト９３は、外装ケース２の排気口１７に対向配置されており、軸流ファン９２から流入した空気を整流して外部に排出する。
【００５２】
前述の冷却ユニット７によるプロジェクタ１内部の冷却構造を説明する。
図１６，図１７は、プロジェクタ１内部に形成される冷却流路を示す図である。
プロジェクタ１内部には、前述の冷却ユニット７により、図１６，図１７に示すように、液晶パネル４４１Ｒ，４４１Ｇ，４４１Ｂおよび電源ユニット６を主に冷却するパネル・電源冷却流路Ａと、偏光変換素子４１４を主に冷却する偏光変換素子冷却流路Ｂと、光源装置４１１を主に冷却する光源冷却流路Ｃとが形成される。
パネル・電源冷却流路Ａは、冷却空気がプロジェクタ１内を以下に示すように流通することで形成される。
すなわち、外部の冷却空気は、図１７に示すように、シロッコファン７１により外装ケース２の底面部１２Ａに形成された吸気口２３（図２）から吸入され、吸気側ダクト７２に吐出される。そして、冷却空気は、吸気側ダクト７２に導かれて光学部品用筐体４５の底面部分に形成された開口部４５１Ｂ２（図１５）から、この開口部４５１Ｂ２に接続された光変調装置４４０Ｒ、４４０Ｇ，４４０Ｂの連結枠８３Ｒ，８３Ｇ，８３Ｂの曲折部８３Ｒ７（連結枠８３Ｇ，８３Ｂについても同様）を介して光学部品用筐体４５内部へと吹き出す。
【００５３】
光学部品用筐体４５内部に導入された冷却空気は、液晶パネル４４１Ｒ，４４１Ｇ，４４１Ｂの入射側保持枠８２Ｒ、８２Ｇ，８２Ｂと、射出側保持枠８１Ｒ，８１Ｇ，８１Ｂとの間で吹き上げられて、上流側から下流側まで十分に液晶パネル４０１Ｒ，４０１Ｇ，４０１Ｂの表裏を冷却するとともに、入射側偏光板４４２、視野角補正板４４３、および射出側偏光板４４４を冷却しながら、光学装置４４の下方から上方に向けて流れ、図１７に示すように、光学部品用筐体４５の外部へと流出する。そして、光学部品用筐体４５の外部に流出した空気は、シロッコファン７３により引き寄せられ、光学ユニット４の上方で投写レンズ３側に配置される制御基板（図示省略）を冷却しつつ該制御基板に沿って流れ、電源ブロック６１の内部に導入される。
電源ブロック６１内部に導入された空気は、内部の回路基板６１１に実装された回路素子を冷却しつつ筒状部材６１２に沿って流れ、シロッコファン７３に吸入され、光源駆動ブロック６２の内部側へと吐出される。この光源駆動ブロック６２内部に吐出された空気は、排気機構９０の軸流ファン９２により引き寄せられ、回路基板（図示略）に実装された回路素子を冷却しつつ筒状部材６２２に沿って流れ、排気機構９０に吸入される。そして、図１６に示すように、排気側ダクト９３により投写方向から離間する方向に整流され、外装ケース２の排気口１７から排出される。
【００５４】
偏光変換素子冷却流路Ｂは、冷却空気がプロジェクタ１内を以下に示すように流通することで形成される。
すなわち、外部の冷却空気は、図１６に示すように、シロッコファン７１により外装ケース２の底面部１２Ａに形成された吸気口２３（図２）から吸入され、吸気側ダクト７２に吐出される。そして、冷却空気は、吸気側ダクト７２に導かれて光学部品用筐体４５の底面部分に形成された開口部４５１Ｂ３（図１５）から光学部品用筐体４５内部へと導入される。そして、光学部品用筐体４５内部に導入された冷却空気は、偏光変換素子４１４を冷却し、図１７に示すように、蓋状部材４５２に形成された開口部４５２Ａから光学部品用筐体４５外部に流出する。
【００５５】
光源冷却流路Ｃは、冷却空気がプロジェクタ１内を以下に示すように流通することで形成される。
すなわち、パネル・電源冷却流路Ａを流れる冷却空気の一部および偏光変換素子冷却流路Ｂを流れる冷却空気が、図１７に示すように、排気機構９０により引き寄せられ、電源ブロック６１と光学部品用筐体４５の光源収納部４５１Ａとの間に入り込み、光源収納部４５１Ａの後方側端面に形成された開口部（図４）から該光源収納部４５１Ａ内に導入される。そして、光源収納部４５１Ａ内に導入された空気は、光源装置４１１を冷却し、光源収納部４５１Ａの前方側端面に形成された図示しない開口部を介して排気機構９０により吸入される。そしてまた、排気機構９０により吸入された空気は、排気側ダクト９３により投写方向から離間する方向に整流され、外装ケース２の排気口１７から排出される。
【００５６】
本発明は、前述の各実施形態に限定されるものではなく、以下に示すような変形をも含むものである。
射出側保持枠８１Ｒ，８１Ｇ，８１Ｂ、入射側保持枠８２Ｒ，８２Ｇ，８２Ｂ、連結枠８３Ｒ，８３Ｇ，８３Ｂの形状や材質、固定態様等は、前記実施形態のものに限定されない。入射側保持枠および射出側保持枠は、光変調素子に直接接触していなくてもよく、前記実施形態では、射出側保持枠８１Ｒ、８１Ｇ，８１Ｂを固定板４４６Ｒ、４４６Ｇ，４４６Ｂを介してクロスダイクロイックプリズム４４５に固定していたが、射出側保持枠８１Ｒ、８１Ｇ，８１Ｂを直接クロスダイクロイックプリズム４４５に固定してもよい。つまり、光変調素子の入射側および射出側に配置されて、連結枠によって互いに熱伝導的に連結されていれば、本発明の目的である放熱性能および冷却性能の向上を実現できる。
【００５７】
また、整流部８３Ｒ６や曲折部８３Ｒ７の形状等も前記実施形態のものに限定されず、曲折部８３Ｒ７の端部が開口部４５１Ｂ２に接続していなくてもよい。
さらに、冷却風の流れは、連結枠の内部を吹き上げる方向に流れる必要はなく、吹き降ろす方向に流れていてもよい。
【００５８】
本発明の光学装置は、前述したようないわゆる三板式のものに限らず、単一の液晶パネル等の光変調素子を用いるいわゆる単板式の光学装置として構成してもよい。
また、本発明の光変調装置および光学装置は、前述したようなフロント投写型のプロジェクタのほか、リア投写型のプロジェクタにも適用できる。
【産業上の利用可能性】
【００５９】
本発明は、プロジェクタに利用できる他、その他の光学機器にも利用することができる。
【図面の簡単な説明】
【００６０】
【図１】本発明の第１実施形態に係るプロジェクタの構造を表す模式図。
【図２】前記実施形態におけるプロジェクタを下方前面側から見た斜視図。
【図３】前記実施形態におけるプロジェクタを後方背面側から見た斜視図。
【図４】前記実施形態におけるプロジェクタの内部構造を示す図。
【図５】前記実施形態における光学ユニットの光学系を模式的に示す図。
【図６】前記実施形態における光学装置を上方から見た斜視図。
【図７】前記実施形態における光学装置を下方から見た斜視図。
【図８】前記実施形態における光変調装置を光束入射側から見た斜視図（射出側保持枠取り付け時）。
【図９】前記実施形態における光変調装置を光束射射出側から見た斜視図（射出側保持枠取り付け時）。
【図１０】前記実施形態における光変調装置を光束入射側から見た斜視図（入射側保持枠および射出側保持枠取り付け時）。
【図１１】前記実施形態における光変調装置を光束射出側から見た斜視図（入射側保持枠および射出側保持枠取り付け時）。
【図１２】前記実施形態における光変調装置を光束入射側から見た斜視図（入射側保持枠、射出側保持枠、および連結枠取り付け時）。
【図１３】前記実施形態における光変調装置を光束射出側から見た斜視図（入射側保持枠、射出側保持枠、および連結枠取り付け時）。
【図１４】前記実施形態における冷却ユニットの構造を説明する図。
【図１５】前記実施形態における冷却ユニットの構造を説明する図。
【図１６】前記実施形態におけるプロジェクタ内部に形成される冷却流路を示す図。
【図１７】前記実施形態におけるプロジェクタ内部に形成される冷却流路を示す図。
【符号の説明】
【００６１】
１…プロジェクタ、８１Ｒ，８１Ｇ，８１Ｂ…射出側保持枠、８１Ｒ１…開口部、８２Ｒ，８２Ｇ，８２Ｂ…入射側保持枠、８２Ｒ１…開口部、８３Ｒ，８３Ｇ，８３Ｂ…連結枠、８３Ｒ３…接続部、８３Ｒ６…整流部（整流部材）、８３Ｒ７…曲折部、４１１…光源装置、４４０Ｒ，４４０Ｇ，４４０Ｂ…光変調装置、４４１Ｒ，４４１Ｇ，４４１Ｂ…液晶パネル（光変調素子）、４５１Ｂ２…開口部（吹き出し口）。
【図１】
2005156675.tif 000003
【図２】
2005156675.tif 000004
【図３】
2005156675.tif 000005
【図４】
2005156675.tif 000006
【図５】
2005156675.tif 000007
【図６】
2005156675.tif 000008
【図７】
2005156675.tif 000009
【図８】
2005156675.tif 000010
【図９】
2005156675.tif 000011
【図１０】
2005156675.tif 000012
【図１１】
2005156675.tif 000013
【図１２】
2005156675.tif 000014
【図１３】
2005156675.tif 000015
【図１４】
2005156675.tif 000016
【図１５】
2005156675.tif 000017
【図１６】
2005156675.tif 000018
【図１７】
2005156675.tif 000019